(57)【要約】      （修正有）【課題】容器本体内の液量を目視によって正確に確認できるようにして内容液を補充する際の溢れ出しを防止し得ると共に、空気置換を行えるようにして内容液の補充作業をスムーズに行えるようにした中栓付き容器を提供する。【解決手段】内容液Ｌを収容する口筒部２を備えた容器本体１と、口筒部２に装着されて内容液Ｌを注出する手動ポンプ機構と、口筒部２と手動ポンプ機構との間に配置される中栓５０と、を有する中栓付き容器であって、中栓５０が口筒部２から底部に向かって垂下設される円筒部５１を備えると共に、円筒部５１に内容液Ｌの液面Ｌｆの高さ位置を示す見分け手段を備える構成とする。【選択図】図３
2019064618.tif 000002
【特許請求の範囲】
【請求項１】
内容液（Ｌ）を収容する口筒部（２）を備えた容器本体（１）と、前記口筒部（２）に装着されて前記内容液（Ｌ）を注出する手動ポンプ機構（１０）と、前記口筒部（２）と前記手動ポンプ機構（１０）との間に配置される中栓（５０）と、を有する中栓付き容器であって、
前記中栓（５０）が前記口筒部（２）から底部（５）に向かって垂下設される円筒部（５１）を備えると共に、該円筒部（５１）に前記内容液（Ｌ）の液面（Ｌｆ）の高さ位置を示す見分け手段を備えることを特徴とする中栓付き容器。
【請求項２】
見分け手段が、中栓（５０）を形成する合成樹脂の色を前記内容液（Ｌ）とは異なる色で形成することにより構成されている請求項１記載の中栓付き容器。
【請求項３】
見分け手段が、中栓（５０）の円筒部（５１）の内周面に形成された周凸条（５４）で構成されている請求項１又は２記載の中栓付き容器。
【請求項４】
見分け手段が、中栓（５０）の下端に形成された段差部（５５）で構成されている請求項１又は２記載の中栓付き容器。
【請求項５】
中栓（５０）の円筒部（５１）に、スリット又は貫通孔から成る置換部（５３）が形成されている請求項１乃至４に記載のいずれか一項に記載の中栓付き容器。
【請求項６】
手動ポンプ機構（１０）を容器本体（１）の口筒部（２）に組み付けると、組み付け前に前記手動ポンプ機構（１０）側に取り付けられていた中栓（５０）が、組み付け後に前記容器本体（１）側の口筒部（２）に移行して組み付く構成とした請求項１乃至５に記載のいずれか一項に記載の中栓付き容器。
【発明の詳細な説明】
【技術分野】
【０００１】
本発明は、内容液を補充する際の溢れ出しを防止する中栓付き容器に関する。
【背景技術】
【０００２】
従来、シャンプー等の内容液を入れる容器本体（例えば、ポンプ付き容器）は、その内部に充填されている内容液を使い切ってしまった場合には、例えば袋状に形成された補充容器などから同種の内容液を補充して容器本体を再利用する試みがなされている。
容器本体が遮光性を備えた不透明な材料で形成されている場合、容器本体の外側から内容液がどの程度の高さまで補充されたかを知ることは難しい。このため、補充中に、何度も口筒部から容器本体の内部を覗いて内容液の液面の高さ位置を視覚的に確認する必要がある。しかしながら、容器本体内が薄暗い場合には、内容液の液面と容器本体の内壁との区別がつき難いため、容器本体内に溜まった内容液の液量を正確に把握することができず、さらに補充しようとした結果、内容液が溢れ出てしまうという問題があった。
【０００３】
補充時における内容液の溢れを防止する一つの方法として、例えば下記の特許文献１に記載の先行技術は、エラストマー製のチューブ体２に硬質樹脂製のテーパ状チューブ体３を接続した詰め替え用器具１を使用したものであり、チューブ体２の一端側にポンプ付き使用容器Ｙの拡大径部２２に注ぎ出し口部ｍを圧入し、またテーパ状チューブ体３の先端部分を袋状容器ｙの開封口ｋに強く押し込んだ状態に設定した後、袋状容器ｙを上に、使用容器Ｙを下に位置させると、テーパ状チューブ体３の先端開口部を介して、シャンプー液は袋状容器ｙから使用容器Ｙに流れ落ちることで内容液の詰め替えが行われる、というものである。
【先行技術文献】
【特許文献】
【０００４】
【特許文献１】特開２００７−１１９０５５号公報
【発明の概要】
【発明が解決しようとする課題】
【０００５】
上記特許文献１では、テーパ状チューブ体３の外周面と開封口ｋの構成面との間には間隙がなくなってしっかりと密着した状態となることで、内容液の漏れ落ちを防止する構成ですが、このように密着性に優れた構成の場合には空気置換が行われ難くなることから、内容液の詰め替え補充作業がスムーズに行われ難いという問題がある。
【０００６】
本発明は、上記した従来技術における問題点を解消すべく、容器本体内の液量を目視によって正確に確認できるようにして内容液を補充する際の溢れ出しを防止し得ると共に、空気置換を行えるようにして内容液の補充作業をスムーズに行えるようにした中栓付き容器を創出することを課題とする。
【課題を解決するための手段】
【０００７】
上記課題を解決するための手段のうち、本発明の主たる手段は、
内容液を収容する口筒部を備えた容器本体と、口筒部に装着されて内容液を注出する手動ポンプ機構と、口筒部と手動ポンプ機構との間に配置される中栓と、を有する中栓付き容器であって、中栓が口筒部から底部に向かって垂下設される円筒部を備えると共に、円筒部に内容液の液面の高さ位置を示す見分け手段を備えることを特徴とする、と云うものである。
上記本発明の主たる手段では、口筒部を介して見分け手段を観察することにより、内容液の液面の高さ位置を視覚的に把握することを達成し得る。
【０００８】
また本発明の他の手段は主たる手段に、見分け手段が、中栓を形成する合成樹脂の色を内容液とは異なる色で形成することにより構成されている、との手段を加えたものである。
上記手段では、中栓と内容液の境界を容易に見分けることは可能となるため、中栓に対する内容液の液面の高さ位置を容易に把握することを達成し得る。
【０００９】
また本発明の他の手段は主たる手段に、見分け手段が、中栓の円筒部の内周面に形成された周凸条で構成されている、との手段を加えたものである。
上記手段では、口筒部を介して周凸条が見えるか否かを確認することにより、中栓に対する内容液の液面の高さ位置を容易に把握することを達成し得る。
【００１０】
また本発明の他の手段は主たる手段に、見分け手段が、中栓の下端に形成された段差部で構成されている、との手段を加えたものである。
上記手段では、口筒部を介して段差部が見えるか否かを確認することにより、中栓に対する内容液の液面の高さ位置を容易に把握することを達成し得る。
【００１１】
また本発明の他の手段は、上記いずれかの手段に、中栓の円筒部に、スリット又は貫通孔から成る置換部が形成されている、との手段を加えたものである。
上記手段では、内溶液補充中において、容器本体の内部と外部の間で空気置換が適切に行われ、補充した内容液が溢れ出すことがなくなるため、内容液の補充作業をスムーズに行うことができる。
【００１２】
また本発明の他の手段は、上記いずれかの手段に、手動ポンプ機構を容器本体の口筒部に組み付けると、組み付け前に手動ポンプ機構側に取り付けられていた中栓が、組み付け後に容器本体側の口筒部に移行して組み付く構成とした、との手段を加えたものである。
上記手段では、中栓を、当初から容器本体内に配置できない場合であっても、手動ポンプ機構から移行させることによって容器本体内に配置することを達成し得る。
【発明の効果】
【００１３】
本発明は、上記した構成となっているので、以下に示す効果を奏する。
見分け手段を介して容器本体内の液量を目視によって正確に把握することができるため、内容液を補充する際の溢れ出しを防止することができる。
またスリット又は貫通孔を介して容器本体の内部と外部の間の空気置換を行うことが可能となるため、内容液の補充作業をスムーズに行うことができる。
【図面の簡単な説明】
【００１４】
【図１】本発明の実施例として使用状態にある中栓付き容器を示す半断面図である。
【図２】充填工程前の分離状態を示す中栓付き容器の半断面図である。
【図３】見分け手段の第１実施例を示す断面図である。
【図４】見分け手段の第２実施例を示す断面図である。
【図５】見分け手段の第３実施例を示す断面図である。
【発明を実施するための形態】
【００１５】
以下、本発明の実施の形態について図面を参照しつつ説明する。
図１は本発明の実施例として使用状態にある中栓付き容器を示す半断面図、図２は充填工程前の分離状態を示す中栓付き容器の半断面図である。
本発明の中栓付き容器は、例えば図１に示すようなポンプ付き容器として使用されるものであり、内部に充填される内容液としては例えばシャンプー、リンス、あるいは液状石鹸などである。
【００１６】
図１に示すように中栓付き容器は、内容液が充填される容器本体１と、内容液を汲み出す機能を備えた公知の手動ポンプ機構１０と、中栓５０とを有して構成されている。
容器本体１は、例えば遮光性を備えた不透明な合成樹脂材料又は着色された不透明な合成樹脂材料で形成されたブロー容器であり、底部５の上に連設された胴部４の上に縮径状の肩部３が形成され、さらにこの肩部３の上に口筒部２が立設された有底筒状の容器である。口筒部２の外周面には雄ネジ２ａが形成されている。
【００１７】
手動ポンプ機構１０は、ポンプ部４１、このポンプ部４１の上端部に配設される押下げヘッド３１、ポンプ部４１を容器本体１の口筒部２に組み付け固定する組付きキャップ１１及び押下げヘッド３１の動きを規制して固定する螺合装着体２１などを有して構成されている。押下げヘッド３１を押下することにより、ポンプ部４１が容器本体１内の内容液Ｌを汲み上げ、押下げヘッド３１に設けられた後述するノズル３４から手の平等に注出することができるようになっている。
ポンプ部４１は、縦長円筒状のシリンダー４３中にピストンとしての機能を発揮するステム４２をスプリング（図示せず）により上方に付勢した状態で密摺動可能に配設したものであり、シリンダー４３の上端部には短円筒状から成る被嵌合部４４とその上端を断面逆Ｌ字状に形成したフランジ４５が付設されている。
【００１８】
押下げヘッド３１は、頂壁３２の裏面中央部から垂下する内周壁部（図示せず）をステム４２の上端部に嵌合するとともに、内周壁部に連通するノズル３４が横方向（前方）に延出している。また頂壁３２の裏面には嵌合筒部３３が垂下設されており、嵌合筒部３３の内周面には螺合装着体２１の外周面に形成されている螺条２５に螺合する螺条（図示せず）が形成されている。
【００１９】
組付きキャップ１１は有頂円筒状で頂壁１２には開口部１３が形成され、側周壁１４の内周面には口筒部２に形成された雄ネジ２ａに螺合する雌ネジ１５が形成され、また外周面には滑り止め用のローレット１６が周設されている。
【００２０】
螺合装着体２１は被嵌合部４４の上部に有頂短筒状に形成された部材であり、頂壁２２の中央には円筒状の側周壁２４が形成されている。螺合装着体２１は組付きキャップ１１の開口部１３に挿入され、その下端にはシリンダー４３の上端が連結されている。側周壁２４の内側にはステム４２が挿通され、また側周壁２４の外周面には押下げヘッド３１側の嵌合筒部３３に形成された螺条（図示せず）に螺合する螺条２５が周設されている。尚、図２に示すように、手動ポンプ機構１０は嵌合筒部３３の螺条を螺合装着体２１の螺条２５に螺合させ、押下げヘッド３１を螺合装着体２１に組み付き固定させた未使用状態に設定される。
【００２１】
中栓５０は、円筒部５１の上端に断面逆Ｌ字状に屈曲形成されたフランジ部５２を備えた合成樹脂製の部材であり、後述するように円筒部５１には下端から上部側の途中の高さ位置まで開口形成されたスリットから成る置換部５３が形成されている（図３乃至図５参照）。また円筒部５１上部の外周面には、口筒部２内に圧入されたときに口筒部２の内周面に強固に組み付く係止凸部５１ａが形成されている。そして、中栓５０は円筒部５１の内周面の上部がシリンダー４３の上端の被嵌合部４４に嵌合することにより、手動ポンプ機構１０を構成するポンプ部４１のシリンダー４３の周囲に取り付けられている。
【００２２】
容器本体１と手動ポンプ機構１０とは容器製造工程で製造され、その後図２に示されるように両者を分離させた状態で内容液（シャンプー等）を充填する充填工程に送られる。
内容液の充填工程では、容器本体１内に内容液（シャンプー等）Ｌを充填した後、手動ポンプ機構１０を容器本体１に組み付ける作業が行われる。手動ポンプ機構１０を容器本体１の口筒部２に螺合組み付けする際には、ポンプ部４１側のフランジ４５の下に中栓５０のフランジ部５２を重ねた状態として組付きキャップ１１の頂壁１２と容器本体１の口筒部２の上端部との間に挟持する。そして、組付きキャップ１１を容器本体１の口筒部２に螺着させることにより、手動ポンプ機構１０側のポンプ部４１が容器本体１にしっかりと組み付け固定される。このとき同時に、中栓５０が容器本体１の口筒部２とポンプ部４１側のシリンダー４３との間に配置されることになる。
【００２３】
この際、中栓５０の係止凸部５１ａが口筒部２内に圧入され、中栓５０は容器本体１側の口筒部２に強固に組み付く。よって、内容液を補充する際、組付きキャップ１１を容器本体１の口筒部２から螺脱させて手動ポンプ機構１０を容器本体１から外すと、中栓５０の内周面の上端がシリンダー４３の上端部の被嵌合部４４から外れ、中栓５０が容器本体１の口筒部２に組み付いた状態が維持されることになる。すなわち、中栓５０は、被嵌合部４４に対する組み付き力に比較して容器本体１側の口筒部２に対する組み付き力の方が大きく設定されているため、中栓５０を備えた手動ポンプ機構１０を容器本体１に組み付けると、中栓５０を手動ポンプ機構１０から容器本体１側に移行させることが可能となっている。これにより、製造時において中栓５０を有しない容器本体１であっても、手動ポンプ機構１０を組み付けることで中栓５０を容器本体１に取り付けることができる。
【００２４】
図３は見分け手段の第１実施例を示す断面図である。この第１実施例に示す見分け手段は、中栓５０を形成する合成樹脂の色を、この容器本体１内に収容される内容液の色とは異なる色、より好ましくは互いの色を引き立てて中栓５０と内容液との境界を容易に見分けることができる色で形成することにより構成したものである。
図３に示す第１実施例では、補充容器６０の注ぎ口６１から内容液Ｌを補充する際に、口筒部２を介して容器本体１内を目７０で覗き込むことにより、中栓５０の内周面に示される容器本体１内の内容液Ｌの液面Ｌｆの高さ位置を視覚的に明確に見分けることができるようになる。よって、容器本体１内における内容液Ｌの液面Ｌｆの高さ位置を正確に把握することが可能となり、内容液Ｌを必要以上に補充することがなくなるため、補充時における内容液Ｌの溢れ出しを防止することができる。
また中栓５０に形成されている置換部５３は、内容液Ｌを補充容器６０から口筒部２を介して容器本体１内に補充するときに、容器本体１の内部と外部とを連通して空気の置換を行う。これにより、内容液Ｌの補充作業をスムーズに行うことができる。
【００２５】
図４は見分け手段の第２実施例を示す断面図である。
第２実施例に示す見分け手段が、上記第１実施例と異なる点は、中栓５０を形成する円筒部５１の下端側の内面に周凸条５４を形成することにより構成した点にある。
第２実施例では、容器本体１内の液面Ｌｆは、補充容器から補充された内容液Ｌの増加に伴って上昇することになる。そして、中栓５０の内周面に示される内容液Ｌの液面Ｌｆが周凸条５４の高さ位置を越えると、周凸条５４が内溶液Ｌ中に埋没して見えなくなる。よって、周凸条５４の高さ位置を適量となる位置に設定し、中栓５０の内周面に示される内容液Ｌの液面Ｌｆの高さ位置を確認しながら周凸条５４の状態を観察し、周凸条５４が見えなくなった場合に適量に達したものと判断して補充作業を停止することにより、補充時における内容液Ｌの溢れ出しを防止することが可能となる。
【００２６】
図５は見分け手段の第３実施例を示す断面図である。
第３実施例に示す見分け手段が、上記第２実施例と異なる点は、中栓５０を形成する円筒部５１の下端側に、周凸条５４の代わりに段差部５５を形成することにより構成した点にある。
第３実施例においても、補充容器から補充される内容液Ｌの増加に伴って容器本体１内の液面が上昇するが、この構成では内容液Ｌの液面Ｌｆが段差部５５の高さ位置を越えると、段差部５５が内溶液Ｌ中に埋没して見えなくなる。よって、上記同様に補充作業中に段差部５５が見えなくなったことを確認したら適量に達したものと判断して補充作業を停止することにより、補充時における内容液Ｌの溢れ出しを防止することができる。
【００２７】
以上、実施例に沿って本発明の構成とその作用効果について説明したが、本発明の実施の形態は上記実施例に限定されるものではない。
【００２８】
例えば、上記説明では見分け手段を示す第１実施例、第２実施例及び第３実施例をそれ別々に備える構成を示して説明したが、上記第１実施例、すなわち中栓５０を形成する合成樹脂の色を内容液Ｌの色とは異なる色とする構成については、第２実施例又は第３実施例に同時に備える構成としても良く、このような構成では容器本体１内の内容液Ｌの液面Ｌｆの高さ位置をより正確に把握することが可能となる点で好ましい。
【００２９】
また上記各実施例では、空気置換用の置換部５３として、円筒部５１に形成されたスリットを示して説明したが、本発明はこれに限られるものではなく、置換部５３は円筒部５１に貫通孔を形成することによっても構成することができる。この場合、貫通孔からなる置換部５３は、少なくとも円筒部５１の上部側の位置に一つ形成されていればよいが、その他例えば複数の貫通孔が高さ方向に一定の間隔を有して並ぶ構成とすることもできる。
【００３０】
また上記各実施例では中栓５０側に係止凸部５１ａを設けた構成を示して説明したが、本発明はこれに限られるものではなく、口筒部２側に係止凸部を設ける構成としても良い。
【産業上の利用可能性】
【００３１】
本発明の中栓付き容器は、内容液を補充する必要のある容器の分野における用途展開をさらに広い領域で図ることができる。
【符号の説明】
【００３２】
１    ：  容器本体
２    ：  口筒部
２ａ  ：  雄ネジ
２ｂ  ：  係止凹部
３    ：  肩部
４    ：  胴部
５    ：  底部
１０  ：  手動ポンプ機構
１１  ：  組付きキャップ
１２  ：  頂壁
１３  ：  開口部
１４  ：  側周壁
１５  ：  雌ネジ
１６  ：  ローレット
２１  ：  螺合装着体
２２  ：  頂壁
２４  ：  側周壁
２５  ：  螺条
３１  ：  押下げヘッド
３２  ：  頂壁
３３  ：  嵌合筒部
３４  ：  ノズル
４１  ：  ポンプ部
４２  ：  ステム
４３  ：  シリンダー
４４  ：  被嵌合部
４５  ：  フランジ
５０  ：  中栓
５１  ：  円筒部
５１a：  係止凸部
５２  ：  フランジ部
５３  ：  置換部
５４  ：  周凸条
５５  ：  段差部
６０  ：  補充容器
６１  ：  注ぎ口
７０  ：  目
【図１】
2019064618.tif 000003
【図２】
2019064618.tif 000004
【図３】
2019064618.tif 000005
【図４】
2019064618.tif 000006
【図５】
2019064618.tif 000007